(57)【要約】【課題】  土壌に植物を植生するときの作業負担を軽減し、乾燥期間が続いても植物が乾燥枯死するのを低減できると共に、コストを低減できる植栽シート及び植栽方法を提供する。【解決手段】  植栽シート１０は、一定方向に網目状の切り込み１２が形成された２枚のカットシート１４、１６を備えている。２枚のカットシート１４、１６の間には、植物の根、茎、及び葉を粉砕した複数の粉砕物１８と、複数の保水剤２０が分散されて接着されており、これらを保持した状態で２枚のカットシート１４、１６が接着剤で貼り合わされている。植栽シート１０を切り込み１２の方向と直角方向に引っ張ると、切り込み１２が開いて開口１２Ａが形成され、植栽シート１０が伸張する。この状態で、植栽シート１０を土壌に被せることで複数の粉砕物１８が土壌に鋤き込まれる。数日後、粉砕物１８から根や芽が出てくる。その際、保水剤２０によって水分が供給されため、植物を安定して植生できる。【選択図】  図１
2007020478.tif 000002
【特許請求の範囲】
【請求項１】
複数の切り込みが形成され、前記切り込みが開口することで伸張が可能な少なくとも２枚以上のカットシートの間に、
植物の葉、茎、根又はそれらのいずれか１つ以上を粉砕した複数の粉砕物と、複数の保水剤とが分散されて保持されていることを特徴とする植栽シート。
【請求項２】
複数の前記切り込みは、一定方向に位置をずらして網目状に形成されていることを特徴とする請求項１に記載の植栽シート。
【請求項３】
前記粉砕物と前記保水剤は前記カットシートに接着剤で接着されていることを特徴とする請求項１又は請求項２に記載の植栽シート。
【請求項４】
前記保水剤は、高吸水性樹脂の粒からなることを特徴とする請求項１から請求項３までのいずれか１項に記載の植栽シート。
【請求項５】
植物の葉、茎、根又はそれらのいずれか１つ以上を粉砕して粉砕物とし、
複数の切り込みが開口することで伸張が可能なカットシートの表面に接着剤を塗布し、
前記カットシートの表面に、複数の前記粉砕物と複数の保水剤とを分散させ、
前記カットシートの前記粉砕物と前記保水剤の上から、他のカットシートを貼着することを特徴とする植栽シートの製造方法。
【請求項６】
請求項１から請求項４までのいずれか１項に記載の植栽シートを前記切り込みが開口するように伸張させ、
前記植栽シートを土壌の上に被せるようにして鋤き込み、
前記植栽シートのほぼ全面を少量の土で覆うことを特徴とする植栽方法。
【発明の詳細な説明】
【技術分野】
【０００１】
本発明は、植栽場所となる土壌に植物を植生するための植栽シート、植栽シートの製造方法、及びこの植栽シートを用いた植栽方法に関する。
【背景技術】
【０００２】
従来、草花などの植物を土壌に植生する際には、多数の種子を人手によって直接土壌に播種し、撒水などにより種子を発芽させて植物を生育することが行われている。しかし、広範囲の土壌に多数の種子を直接播種するのは作業が煩雑で手間がかかると共に、多数の種子をほぼ均一に播くことが難しい。
【０００３】
その対策として、例えば、１枚の連続したカバーシート上に、種子と肥料をほぼ等間隔で配置して、可溶解樹脂板によって一体的に固着させたものが提案されている（例えば特許文献１を参照）。
【０００４】
このカバーシートを土床（土壌）の上を覆うように敷設することで、多数の種子を種播する際の手間を軽減できると共に、多数の種子をほぼ均一に播種することができる。
【特許文献１】特開平１１−１２３００６号公報
【発明の開示】
【発明が解決しようとする課題】
【０００５】
しかし、特許文献１に記載のカバーシートでは、発芽しにくい種子の場合に、種子を播種して少量の降雨があった後、長期（例えば、最低でも１週間〜１５日以上）の乾燥期間が発生すると、初期発根した根が乾燥枯死することが多い。これは、種子を土床に播種すると、種子が発根した後、数日（例えば、１週間〜１５日）を経てから発芽するため、発根から発芽までの間に乾燥期間が発生することで、発芽に至らずに乾燥枯死することが原因と考えられる。このため、種子の発芽確率が低下してしまい、植物を安定して植生することができない。また、道路の中央部や歩道、及び公園などに植栽する公共事業の場合は、常時撒水することができないため、乾燥枯死の問題がより顕著となる。
【０００６】
また、特許文献１に記載のカバーシートを作製するには、多数の種子を採取するか、又は多数の種子を購入する必要があり、コストがかかる。
【０００７】
本発明は、上記問題点に鑑みてなされたものであり、播種場所となる土壌に植物を植生する際の作業負担を軽減し、乾燥期間が続いても植物を安定して植生できると共に、コストを低減できる植栽シート、植栽シートの製造方法及び植栽方法を提供することを目的とする。
【課題を解決するための手段】
【０００８】
上記課題を解決するために、請求項１に記載の発明に係る植栽シートは、複数の切り込みが形成され、前記切り込みが開口することで伸張が可能な少なくとも２枚以上のカットシートの間に、植物の葉、茎、根又はそれらのいずれか１つ以上を粉砕した複数の粉砕物と、複数の保水剤とが分散されて保持されていることを特徴としている。
【０００９】
請求項１に記載の発明によれば、カットシートに複数の切り込みが形成されており、切り込みが開口することで伸張が可能となっている。植栽シートは、少なくとも２枚以上のカットシートの間に、植物の葉、茎、根又はそれらのいずれか１つ以上を粉砕した複数の粉砕物と複数の保水剤が分散されて保持されており、この植栽シートを伸張させて土壌上に被せることで、複数の粉砕物が土壌に播散される。その後、複数の粉砕物から芽や根、茎が出てきて保水剤から水分が補給されることで、植物が生育する。これにより、広範囲の土壌に複数の粉砕物を播く際の作業負担を軽減することができ、簡単な作業で植物を植生することが可能となる。また、保水剤によって水分が補給されるので、少量の降雨後に乾燥期間が続いても、植物が乾燥枯死するのを低減できる。これにより、撒水などの手間をかけることなく安定して植物を植生することができる。また、伐採した植物の葉、茎、根又はそれらのいずれか１つ以上を粉砕した粉砕物を使用するため、コストを低減できる。
【００１０】
請求項２に記載の発明に係る植栽シートは、請求項１に記載の植栽シートにおいて、複数の前記切り込みは、一定方向に位置をずらして網目状に形成されていることを特徴としている。
【００１１】
請求項２に記載の発明によれば、カットシートには、一定方向に位置をずらして網目状の切り込みが形成されているので、切り込みと直角方向に植栽シートの両端部を引っ張ることで、網目状の切り込みが開口し、植栽シートを伸張させることができる。このため、簡単な構成によって植栽シートを大きく伸張させることができ、植栽シートの小型化が可能となる。また、網目状の開口が形成されるので、土壌中での日照、通気性、及び吸水性などを確保することができる。
【００１２】
請求項３に記載の発明に係る植栽シートは、請求項１又は請求項２に記載の植栽シートにおいて、前記粉砕物と前記保水剤は前記カットシートに接着剤で接着されていることを特徴としている。
【００１３】
請求項３に記載の発明によれば、粉砕物と保水剤はカットシートに接着剤で接着されており、切り込みを開口させて植栽シートを伸張したときに、粉砕物と保水剤が開口から落下するのが防止される。このため、複数の粉砕物を落下させることなく土壌に播くことができると共に、保水剤が落下しないので、粉砕物に十分な水分を補給することが可能となる。
【００１４】
請求項４に記載の発明に係る植栽シートは、請求項１から請求項３までのいずれか１項に記載の植栽シートにおいて、前記保水剤は、複数の高吸水性樹脂の粒からなることを特徴としている。
【００１５】
請求項４に記載の発明によれば、保水剤は、複数の高吸水性樹脂の粒からなり、複数の高吸水性樹脂が土壌中の水分や雨水を吸収して膨潤することで、水分が保持される。これにより、複数の高吸水性樹脂から複数の粉砕物に水分を供給することが可能となり、乾燥期間が続いても植物が乾燥枯死するのをより一層低減できる。
【００１６】
請求項５に記載の発明に係る植栽シートの製造方法は、植物の葉、茎、根又はそれらのいずれか１つ以上を粉砕して粉砕物とし、複数の切り込みが開口することで伸張が可能なカットシートの表面に接着剤を塗布し、前記カットシートの表面に、複数の前記粉砕物と複数の保水剤とを分散させ、前記カットシートの前記粉砕物と前記保水剤の上から、他のカットシートを貼着することを特徴としている。
【００１７】
請求項５に記載の発明によれば、植物の葉、茎、根又はそれらのいずれか１つ以上を粉砕して粉砕物とし、カットシートの表面に接着剤を塗布して複数の粉砕物と複数の保水剤とを分散させ、その上から他のカットシートを貼着することにより、植栽シートを製造する。このため、簡単な工程で植栽シートを製造できると共に、伐採した植物の葉、茎、根又はそれらのいずれか１つ以上を粉砕したものを用いるため、コストを低減できる。
【００１８】
請求項６に記載の発明に係る植栽方法は、請求項１から請求項４までのいずれか１項に記載の植栽シートを前記切り込みが開口するように伸張させ、前記植栽シートを土壌の上に被せるようにして鋤き込み、前記植栽シートのほぼ全面を少量の土で覆うことを特徴としている。
【００１９】
ここで、鋤き込むとは、土壌の中へ植栽シートが椀状となるように埋め込むことをいう。
【００２０】
請求項６に記載の発明によれば、植栽シートを一定方向に伸張した後、この植栽シートを土壌の上に被せるようにして鋤き込む。そして、植栽シートのほぼ全面を少量の土で覆うことで、複数の粉砕物を土壌に播散することができる。その後、複数の粉砕物に保水剤から水分が補給され、粉砕物から芽や根、茎が出て成長する。これにより、複数の粉砕物を土壌に播く際の手間が少なく、作業負担を軽減でき、簡易な方法で植物を植生することができる。さらに、乾燥期間が続いても保水剤により水分が供給されるので、植物が乾燥枯死するのを低減することができる。
【発明の効果】
【００２１】
本発明によれば、植栽シートを伸張させて土壌に被せるように埋め込むことで、複数の粉砕物を土壌に播散する際の作業負担を軽減できると共に、乾燥期間が続いても植物が乾燥枯死するのを低減できる。また、植物の葉、茎、根又はそれらのいずれか１つ以上を粉砕したものを用いるため、コストを低減できる。
【発明を実施するための最良の形態】
【００２２】
以下、本発明の植栽シートにおける最良の実施の形態を図面に基づいて説明する。
【００２３】
図１（Ａ）には、本発明の一実施形態に係る植栽シートが示されている。
【００２４】
この植栽シート１０は、一定方向（図１中の縦方向）に位置をずらして網目状の切り込み１２が形成されたカットシート１４を備えており、このカットシート１４の背面側に、同じく網目状の切り込み１２が形成させたカットシート１６が配置され、２枚のカットシート１４、１６が貼り合わされている。本実施形態では、カットシート１４、１６は、比較的吸水性のある茶色（無漂白）の平面状の紙からなり、剛性が小さく、クッション性を有している。なお、カットシート１４、１６は、エンボス加工によってクッション性を持たせても良い。
【００２５】
なお、カットシート１４、１６は、紙に限らずプラスチック製のシートを用いても良い。例えば、土壌中で微生物により分解して炭酸ガスと水になる性質を有する生分解性樹脂からなるシートを用いても良い。生分解性樹脂としては、例えばポリ乳酸系樹脂などが用いられる。
【００２６】
また、切り込み１２は、直線状のカットが網目状に配置されたものであり、本実施形態では、カットの長さが約１２ｍｍ、カット間の間隔（図１中の縦方向）が約３ｍｍ、隣り合うカット間の間隔（図１中の横方向）が約２ｍｍとなっている。なお、このカット寸法は適宜に設定可能である。
【００２７】
図１（Ｂ）は、２枚のカットシート１４、１６の貼り合わせ面を展開した図である。
【００２８】
２枚のカットシート１４，１６の間には、植物の葉、茎及び根を粉砕した複数の粉砕物１８と、複数の保水剤２０が分散されて配置され、これらが接着剤（図示省略）でカットシート１４，１６の表面に接着されている。本実施形態では、保水剤２０の数は粉砕物１８の数より少ないが、この構成に限定するものではなく、保水剤２０と粉砕物１８の数が同数でも、保水剤２０の数が多くても構わない。
【００２９】
保水剤２０は、水分を吸収して膨潤する性質を有する高吸水性樹脂の粒からなる。高吸水性樹脂としては、水分を取り込みやすいように架橋度を下げた高分子樹脂などが用いられ、例えば、デンプン−アクリロニトリル共重合体、ポリアクリル酸塩、デンプン−アクリル酸共重合体、酢酸ビニル−アクリル酸エステル共重合体けん化物、ポリエチレンオキシド誘導体などが用いられる。本実施形態では、保水剤２０として、高吸水性樹脂に肥料、成長促進剤、キャリアなどをブレンドした土壌改良剤であるテラコッテム（ベルギーのテラコッテム社製）が用いられている。
【００３０】
粉砕物１８には、植物の葉、茎及び根の混合物を粉砕したものが用いられる。本実施形態では、粉砕物１８として、岩だれ草の葉、茎及び根を粉砕したものが用いられている。また、粉砕物１８は、岩だれ草の葉、茎、根のすべてを含んでいるが、岩だれ草の葉、茎、根のいずれか１つ以上を粉砕したものであってもよい。
【００３１】
本実施形態では、複数の粉砕物１８や複数の保水剤２０がランダムに配置されているが、ほぼ等間隔で配置してもよい。また、植栽シート１０の大きさは、ユーザーの手の平サイズよりも若干大きい長方形に形成されており、本実施形態では、図１（Ａ）中の縦方向の長さが約１００ｍｍ、横方向の長さが約１３５ｍｍとなっている。なお、この寸法は適宜に設定可能である。
【００３２】
ここで、植栽シート１０の製造方法について説明する。
【００３３】
図２には、植栽シート１０の製造装置が示されている。広い面積のカットシート１４Ａが回転軸５２にロール状に巻き付けられており、カットシート１４Ａが引き出されて、搬送ロール５４、５５の回転により矢印方向に搬送される。このカットシート１４Ａには、予め網目状の切り込み１２（図１参照）が形成されている。
【００３４】
カットシート１４Ａの搬送方向下流側には、接着剤Ｂをスプレー状に噴霧する噴霧装置５６と、複数の保水剤２０を分散させて落下させるホッパー５８と、粉砕物１８を分散させて落下させる粉砕装置６０が配設されている。粉砕装置６０は、上方に開口したホッパー６２の内部にカッター６４を備えており、ホッパー６２の下部には複数の細孔６６を備えている。そして、ホッパー６２に岩だれ草１８Ａを生の状態（茎、根、葉を有した状態）で投入し、カッター６４で岩だれ草１８Ａを粉砕した後、その粉砕物１８を細孔６６からカットシート１４Ａの表面に落下させるようになっている。
【００３５】
また、粉砕装置６０より搬送方向下流側には、搬送ロール６８が配置されており、搬送ロール６８の周面に沿ってカットシート１４Ａの搬送方向がほぼ直角に曲折される。
【００３６】
一方、カットシート１４Ａと反対側には、カットシート１６Ａが回転軸７０にロール状に巻き付けられている。そして、カットシート１６Ａが引き出されて搬送ロール７２の回転により矢印方向に搬送され、搬送ロール７２に沿ってカットシート１６Ａの搬送方向がほぼ直角に曲折される。搬送ロール７２は、搬送ロール６８と近接して対向配置されており、搬送ロール６８と搬送ロール７２との間でカットシート１４Ａとカットシート１６Ａが接触して押圧されるようになっている。
【００３７】
このような装置では、搬送ロール５４、５５でカットシート１４Ａが矢印方向に搬送され、噴霧装置５６から接着剤Ｂがカットシート１４Ａの表面にスプレー状に噴霧される。その後、ホッパー５８から複数の保水剤２０が分散して落下され、カットシート１４Ａの表面に複数の保水剤２０が接着剤Ｂで接着される。さらに、粉砕装置６０によって粉砕された岩だれ草１８Ａの粉砕物１８が細孔６６からカットシート１４Ａの表面に分散して落下され、粉砕物１８がカットシート１４Ａの表面に接着剤Ｂで接着させる。その後、カットシート１４Ａは搬送ロール６８まで搬送される。また、カットシート１６Ａが搬送ロール７２の回転により搬送され、搬送ロール６８と搬送ロール７２の間で、カットシート１４Ａの接着剤Ｂが噴霧された面とカットシート１６Ａの面とが接触して押圧される。これにより、カットシート１４Ａが保水剤２０と粉砕物１８を保持した状態でカットシート１６Ａと貼り合わされる。カットシート１４Ａ，１６Ａの貼り合わせにより連続シート状の植栽シート５０が製造され、連続シート状の植栽シート５０が回転軸７４に巻き取られる。この連続シート状の植栽シート５０は、回転軸７４に巻き取られた状態で使用時に引き出され、所望の寸法に裁断して図１に示す植栽シート１０として使用される。これにより、簡単な工程で植栽シート１０を製造することができる。
【００３８】
次に、植栽シート１０の作用であって、本発明の一実施形態である植栽方法について説明する。
【００３９】
図３に示すように、ユーザーが植栽シート１０の両端部を切り込み１２の方向と直角方向（図２中の矢印方向）に引っ張ると、切り込み１２が開いて開口１２Ａが形成され、植栽シート１０が矢印方向に伸張する。
【００４０】
この状態で、図４に示すように、植栽シート１０をユーザーの手で植栽場所である土壌２の上に被せるように載置し、植栽シート１０を手の平で押して土壌２中に鋤き込む。これにより、植栽シート１０が土壌２の中へ椀状となるように埋め込まれる。このとき、植栽シート１０の伸張方向と手の平の長手方向が合致するように植栽シート１０を把持することで、植栽シート１０が伸張方向に沿って湾曲するため、土壌２になじみやすく、土壌２中に鋤き込みやすくなる。また、植栽シート１０を図３中の矢印方向に伸張させたとき、粉砕物１８と保水剤２０が接着剤で固着（接着）されているので、粉砕物１８や保水剤２０が切り込み１２の間から落下するのを防止できる。また、植栽シート１０を伸張させたときに、切り込み１２が開いて開口１２Ａが形成されるので、日照や通気性が良好で空気や水分が供給されやすくなり、粉砕物１８の光合成が促進され、発芽しやすいという利点もある。
【００４１】
図４（Ａ）に示すように、複数の植栽シート１０を土壌２上に一定間隔で鋤き込む。その後、図４（Ｂ）に示すように、植栽シート１０の全体を覆うように少量の土４を被せる。これにより、複数の粉砕物１８を容易に土壌２に播くことができる。このとき、新たに被せた土４の上から撒水する必要はない。
【００４２】
図４（Ｃ）に示すように、粉砕物１８を播いた後、数日を経ると、例えば粉砕物１８から根２２が出てくる。このとき、カットシート１４、１６に開口１２Ａが形成されているので、根２２がカットシート１４、１６の間に留まることなく土壌２中に伸びる。また、保水剤２０が土壌２中の水分や降雨の際の雨水を吸収し、膨潤してくる。
【００４３】
図４（Ｄ）に示すように、更に数日を経過すると、粉砕物１８から芽２４が出てくる。このとき、カットシート１４、１６に開口１２Ａが形成されているので、芽２４がカットシート１４、１６の間に留まることなく土壌２の表面側に伸びる。
【００４４】
このような植栽シート１０では、植栽シート１０を伸張して土壌２上にすき込むことで、生の粉砕物１８から直接植生して岩だれ草１８Ａが生育する。
【００４５】
また、粉砕物１８を播いた後、少量の降雨後に乾燥期間が続いても、土壌中の水分や雨を吸水した保水剤２０から粉砕物１８の根２２や芽２４に十分な水が供給されるので、植物が乾燥枯死することが少ない。また、道路や公園などの公共事業において定期的に撒水することが困難な場合でも、粉砕物１８を容易に植生させることができ、管理が容易となる。また、植栽シート１０を伸張させて土壌２にすき込みことで、広い範囲の土壌２に粉砕物１８を播く際の手間が少なく、作業負担を軽減することができる。また、粉砕物１８は、伐採した岩だれ草１８Ａの根、茎、及び葉を使用するため、種子を採取したり購入する必要がなく、コストを低減できる。
【００４６】
なお、本実施形態では、岩だれ草１８Ａを粉砕させた粉砕物１８を用いたが、この構成に限定するものではない。粉砕物は、生の粉砕物から直接植生する植物であればよく、例えば、ジャコウ草、又はシリマキヤなどの地面を這う植物の粉砕物などが使用可能である。また、ダイカンドラ（ディコンドラとも言う。ヒルガオ科の多年草の種）なども使用可能である。
【００４７】
なお、本実施形態の植栽シート１０では、カットシート１４、１６の間に粉砕物１８、保水剤２０が保持されているが、これらに加えて肥料成分、殺虫成分などを保持させても良い。これにより、植物の生育のために必要な肥料を供給できると共に、虫などによって植物が枯れるのを防止することが可能である。また、必要に応じて防腐剤、土壌改良剤などを適宜添加しても良い。
【００４８】
なお、本実施形態の植栽シート１０では、直線状にカットされた網目状の切り込み１２が形成されているが、この構成に限定するものではない。複数の切り込みは、植栽シート１０が一定方向に伸張可能な構成であれば良く、例えば、一定方向にずらしてカットされた複数のＳ字状の切り込みなどを適宜に設定可能である。
【図面の簡単な説明】
【００４９】
【図１】本発明の一実施形態に係る植栽シートを示す平面図及び接着面を展開した図である。
【図２】本発明の一実施形態に係る植栽シートを製造する製造装置を示す概略構成図である。
【図３】図１に示す植栽シートを一定方向に伸ばした状態を示す図である。
【図４】図１に示す植栽シートを用いた植栽方法を示す図であって、植栽シートを土壌にすき込んだ状態を示す図である。
【図５】図１に示す植栽シートを用いた植栽方法であって、本発明の一実施形態に係る植栽方法を示す断面図である。
【符号の説明】
【００５０】
２     土壌
４     土
１０   植栽シート
１２Ａ 開口
１４   カットシート
１６   カットシート
１８   粉砕物
１８Ａ 岩だれ草
２０   保水剤
２２   根
２４   芽
５０   植栽シート
５２   回転軸
５４   搬送ロール
５６   噴霧装置
５８   ホッパー
６０   粉砕装置
６２   ホッパー
６４   カッター
６６   細孔
６８   搬送ロール
７０   回転軸
７２   搬送ロール
７４   回転軸
Ｂ     接着剤
【図１】
2007020478.tif 000003
【図２】
2007020478.tif 000004
【図３】
2007020478.tif 000005
【図４】
2007020478.tif 000006
【図５】
2007020478.tif 000007